(57)【要約】【課題】ネットワーク上のサーバ等の外部からデータを取り込んだ場合においても、保存先のメモリデバイスの容量を最適に利用して、メモリデバイスの大型化、コスト高を防止し、各種のデータを効率良く記憶すること。【解決手段】検索サーバ６００においてマルチファンクション装置４００から転送された画像データを解析し、解析結果に基づいて画像処理の補正に必要な補正データの登録場所をファイルサーバ装置５００の中から検索し、検索した補正データの登録場所をマルチファンクション装置４００に通知し、該装置４００において、検索サーバ６００から通知された補正データの登録場所に基づいてファイルサーバ５００から所望の補正データを取得し、取得した補正データを用いて画像処理を行い、画像処理された画像データを出力する。【選択図】図１
2010136392.tif 000002
【特許請求の範囲】
【請求項１】
画像処理装置による画像データの画像処理に利用可能な複数の補正データを登録しているサーバから前記画像処理装置に対して前記複数の補正データを選択的に供給できるように構成された画像処理システムであって、
前記画像処理装置から前記サーバへ前記画像データと前記画像処理装置の装置情報を送信させるための手段と、
前記受信した前記装置情報と前記画像データとを解析する解析手段と、
前記解析手段で解析した結果から、前記画像処理装置で画像処理を行うための補正データを特定し、該特定した補正データを前期画像処理装置へ供給させるための手段と、
前記画像処理装置は前記供給された補正データを用いて前記画像データの画像処理を前記画像処理装置により実行させるための手段と
を有することを特徴とする画像処理システム。
【請求項２】
前記サーバから前記画像処理装置に対して供給される前記データを圧縮するか否かをユーザインタフェースを介してユーザにより選択可能にするための手段を更に有することを特徴とする請求項１記載の画像処理システム。
【請求項３】
前記サーバから前記画像処理装置に対して供給される前記データを前記画像処理装置に具備される記憶手段に保存するか否かをユーザインタフェースを介してユーザにより選択可能にするための手段を更に有することを特徴とする請求項１又は２記載の画像処理システム。
【請求項４】
前記サーバから前記画像処理装置に対して前記データの供給についてのガイダンス表示及び／又は警告表示を実行させるための手段を更に有することを特徴とする請求項１乃至３の何れか１項に記載の画像処理システム。
【請求項５】
画像処理装置による画像データの画像処理に利用可能な複数の補正データを登録しているサーバから前記画像処理装置に対して前記複数の補正データを選択的に供給できるように構成された画像処理システムのための制御方法であって、
前記画像処理装置から前記サーバへ前記画像データと前記画像処理装置の装置情報を送信させるための工程と、
前記受信した前記装置情報と前記画像データとを解析する解析工程と、
前記解析手段で解析した結果から、前記画像処理装置で画像処理を行うための補正データを特定し、該特定した補正データを前期画像処理装置へ供給させるための工程と、
前記画像処理装置は前記供給された補正データを用いて前記画像データの画像処理を前記画像処理装置により実行させるための工程と
を有することを特徴とする制御方法。
【請求項６】
請求項５記載の制御方法をコンピュータに実行させるためのコンピュータ実行可能なプログラム。
【発明の詳細な説明】
【技術分野】
【０００１】
本発明は、例えば、原稿画像をデジタル画像信号として処理を行うデジタル画像入出力装置の分野に適用可能な、画像処理システム、制御方法並びにプログラムに関する。
【背景技術】
【０００２】
従来、画像の入出力を行うシステムとしては、コピー機能，プリンタ機能，さらにはファクシミリ機能等を有する複合画像処理を実行することが可能な画像入出力処理装置、いわゆるマルチファンクションデジタル複写機のようなものが知られている。
【発明の概要】
【発明が解決しようとする課題】
【０００３】
しかし、マルチファンクションデジタル複写機では、単に原稿画像を複写するコピー機能だけでなく、プリント機能、ファクシミリ機能などを持つため、これら各機能を制御する制御プログラムが複雑化する。
【０００４】
また、原稿画像に種々の画像処理を施すため、それを実現するための画像処理機能の複雑化も招き、この画像処理を実行する実行プログラムなどを記憶する記憶装置の記憶容量も増加する。
【０００５】
さらに、そのような制御・実行用のプログラムを記憶するメモリ部の領域が増えるため、その他のデータを記憶する領域、例えば画像ハンドリングのために一時的に画像データを記憶するためのワークエリアメモリなどの記憶領域が制限される。
【０００６】
その結果、マルチファンクションデジタル複写機において、動作可能な制御プログラム、実行プログラム、さらにはその他のデータを、ネットワーク上のサーバ等の外部から取り込もうとした場合、必然的にそのような各種のデータを記憶するための記憶容量が増大し、ひいてはメモリデバイスの大型化、コスト高を招いてしまう。
【０００７】
そこで、本発明の目的は、ネットワーク上のサーバ等の外部からデータを取り込んだ場合においても、保存先のメモリデバイスの容量を最適に利用することによって、メモリデバイスの大型化、コスト高を招くことなく、各種のデータを効率良く記憶することが可能な、画像処理システム、および、画像処理方法を提供することにある。
【課題を解決するための手段】
【０００８】
本発明は、画像処理装置による画像データの画像処理に利用可能な複数の補正データを登録しているサーバから画像処理装置に対して複数の補正データを選択的に供給できるように構成された画像処理システムであって、画像処理装置からサーバへ画像データと画像処理装置の装置情報を送信させるための手段と、受信した装置情報と前記画像データとを解析する解析手段と、解析手段で解析した結果から、画像処理装置で画像処理を行うための補正データを特定し、特定した補正データを画像処理装置へ供給させるための手段と、画像処理装置は供給された補正データを用いて画像データの画像処理を画像処理装置により実行させるための手段とを有することを特徴とする。
【０００９】
前記サーバから前記画像処理装置に対して供給される前記補正データを圧縮するか否かをユーザインタフェースを介してユーザにより選択可能にするための手段を更に有することを特徴とする。
【００１０】
前記サーバから前記画像処理装置に対して供給される前記補正データを前記画像処理装置に具備される記憶手段に保存するか否かをユーザインタフェースを介してユーザにより選択可能にするための手段を更に有することを特徴とする。
【００１１】
前記サーバから前記画像処理装置に対して補正データを供給するか否かをユーザにより選択可能に構成されたユーザインタフェースによって、当該補正データの供給についてのガイダンス表示及び／又は警告表示を実行させるための手段を更に有することを特徴とする。
【００１２】
本発明は、画像処理装置による画像データの画像処理に利用可能な複数の補正データを登録しているサーバから画像処理装置に対して複数の補正データを選択的に供給できるように構成された画像処理システムのための制御方法であって、画像処理装置から前記サーバへ画像データと画像処理装置の装置情報を送信させるための工程と、受信した装置情報と前記画像データとを解析する解析工程と、解析手段で解析した結果から、画像処理装置で画像処理を行うための補正データを特定し、特定した補正データを画像処理装置へ供給させるための工程と、画像処理装置は供給された補正データを用いて画像データの画像処理を画像処理装置により実行させるための工程とを有することを特徴とする。
【００１３】
本発明は、上記記載の制御方法をコンピュータに実行させるためのコンピュータ実行可能なプログラムにより構成されることを特徴とする。
【図面の簡単な説明】
【００１４】
【図１】本発明の第１の実施の形態である、マルチファンクションデジタル複写機の構成を示すブロック図である。
【図２】マルチファンクションデジタル複写機の電気的な構成を示すブロック図である。
【図３】マルチファンクションデジタル複写機の構成を示す断面図である。
【図４】イメージリーダ部の構成を示すブロック図である。
【図５】ネットワーク上の検索サーバの構成例を示すブロック図である。
【図６】アプリケーションの登録処理を示す説明図である。
【図７】アプリケーションの格納先の検索を示す説明図である。
【図８】アプリケーションの取得および実行を示す説明図である。
【図９】アプリケーションＨＴＭＬ書式の１例を示す説明図である。
【図１０】アプリケーションＨＴＭＬ書式の１例を示す説明図である。
【図１１】カラー判定部でのカラー判定方法を示す説明図である。
【図１２】ホストコンピュータにおけるパラメータファイルの作成処理を示すフローチャートである。
【図１３】本システムにおけるパラメータファイルの取得処理を示すフローチャートである。
【図１４】本発明の第２の実施の形態である、操作画面を示す説明図である。
【図１５】本発明の第３の実施の形態である、操作画面を示す説明図である。
【図１６】図１５の変形例を示す説明図である。
【図１７】本発明の第５の実施の形態である、操作画面を示す説明図である。
【図１８】図１７の変形例を示す説明図である。
【図１９】本発明の第６の実施の形態である、操作画面を示す説明図である。
【発明を実施するための形態】
【００１５】
以下、図面を参照して、本発明の実施の形態を詳細に説明する。
【００１６】
［第１の例］
本発明の第１の実施の形態を、図１〜図１３に基づいて説明する。
【００１７】
＜システム構成＞
まず、本システムの構成について説明する。
【００１８】
（ネットワーク構成）
図１は、本発明に係る画像処理システムの構成例を示す。本システムのネットワーク２００（ＬＡＮ）上には、マルチファンクションデジタル複写機４００（以下、マルチファンクション装置という）と、マルチファンクション装置４００で動作可能なプログラムが登録されたファイルサーバ５００と、ファイルサーバ５００内のプログラムの保管場所を検索する検索サーバ６００と、システム全体の統括的な制御を行うホストコンピュータ３００とが接続されている。
【００１９】
マルチファンクション装置４００は、ローカルエリアのネットワーク２００へ、例えば１０ＢａｓｅＴなどのＬＡＮインタフェースを介して接続されている。
【００２０】
ファイルサーバ５００は、ホストコンピュータ３００などの複数のホストコンピュータや、マルチファンクション装置４００内のハードディスク９６０などの記録デバイスに記憶されたファイルへのアクセスを管理する。
【００２１】
図２は、マルチファンクション装置４００の概略構成を示す。
【００２２】
このマルチファンクション装置４００は、機器の操作を使用者に提供する操作部４１０と、紙などに記録されている原稿画像を読み取るスキャナ１０１と、読み取った画像、あるいはホストコンピュータ９００から送られてくる画像を紙などのメディアに出力するプリンタ１０２と、これらのスキャナ１０１、プリンタ１０２の動作を制御したり、あるいは種々の画像処理を施すデバイスコントローラ４４０と、画像データや処理プログラムを一時的或いは恒久的に記憶するメモリ４５０と、ハードディスク４６０と、入力画像圧縮部４７０と、ファックス送受信装置４８０とを備えている。
【００２３】
このマルチファンクション装置４００においては、単に、入力された原稿画像を複写する、ということだけでなく、原稿画像に種々の画像処理を施して複写する機能もある。例えば、原稿の白黒を反転させるネガポジ反転処理、原稿の一部のみを複写するトリミング処理、複数の原稿を縮小して一枚の出力用紙の上に合成する縮小レイアウト処理などといった多様な処理を行うことが可能である。
【００２４】
また、原稿の複写以外にスキャナ４２０で読み込んだ画像データをネットワーク２００経由でホストコンピュータ９００に転送したり、逆に、ホストコンピュータ９００上でワープロなどにより作成した文書をプリンタ１０２でプリント出力させたりする機能も有する。
【００２５】
入力画像圧縮部４７０は、読み取った原稿画像や、ネットワーク２００を介して外部のサーバから取り込んだ各種のデータ等を圧縮する機能を有する。
【００２６】
さらに、ファックス送受信装置４７０を用いて、原稿画像を遠隔地のファックス送受信機へ送信する機能も有している。
【００２７】
なお、ホストコンピュータ３００と、マルチファンクション装置４００と、検索サーバ６００とは、別々の構成としたが、これに限るものではなく、一体の構成としてもよい。
【００２８】
以下、各部の構成を詳細に説明する。
【００２９】
（画像入出力装置）
図３は、マルチファンクション装置４００（ここでは、カラー機）の構成例を示す。
【００３０】
マルチファンクション装置４００は、原稿画像を読み取るスキャナ部（イメージリーダ部）１０１と、スキャナ部１０１で読み取った画像データを再現するプリンタ部１０２とに大別される。
【００３１】
スキャナ部１０１は、４００ｄｉｐ（ｄｏｔｓ／ｉｎｃｈ）の解像度で原稿を読み取り、デジタル信号処理を行う部分である。プリンタ部１０２は、スキャナ部１０１によって読み取られた原稿画像に対応した画像を４００ｄｉｐの解像度で指定用紙にフルカラープリント出力する部分である。
【００３２】
スキャナ部１０１において、１００は鏡面圧板であり、原稿台ガラス（以下、プラテン）１０３上の原稿１０４は、ランプ１０５で照射され、ミラー１０６，１０７，１０８に導かれ、レンズ１０９によって、集光された光を電気信号に変換する３ラインセンサ（以下、ＣＣＤ）１１０上に像を結び、フルカラー情報レッド（Ｒ），グリーン（Ｇ），ブルー（Ｂ）成分として信号処理部１１１に送られる。
【００３３】
なお、１０５，１０６を固定しているキャリッジは速度ｖで、１０７，１０８は速度１／２ｖでラインセンサ１１０の電気的走査（主走査）方向に対して垂直方向に機械的に動くことによって、原稿全面を走査（副走査）する。
【００３４】
信号処理部１１１においては、読み取られた画像信号を電気的に処理し、マゼンタ（Ｍ），シアン（Ｃ），イエロー（Ｙ），ブラック（Ｂｋ）の各成分に分解し、プリンタ部１０２に送る。
【００３５】
また、スキャナ部１０１における一回の原稿走査につき、Ｍ，Ｃ，Ｙ，Ｂｋのうち、１つの成分がプリンタ部１０２に送られ、計４回の原稿走査によって、一回のプリントアウトが完成する。
【００３６】
スキャナ部１０１より送られてくるＭ，Ｃ，Ｙ，Ｂｋの各画像信号は、レーザドライバ１１２に送られる。レーザドライバ１１２は、送られてきた画像信号に応じ、半導体レーザ１１３を変調駆動する。レーザ光は、ポリゴンミラー１１４，ｆ−θレンズ１１５，ミラー１１６を介し、感光ドラム１１７上を走査する。
【００３７】
１１８は回転現像器であり、マゼンタ現像部１１９、シアン現像部１２０、イエロー現像部１２１、ブラック現像部１２２より構成されている。これら４つの現像部１１９〜１２２が、交互に感光ドラム１１７に接し、感光ドラム１１７上に形成された潜像現像をトナーで現像する。１２３は転写ドラムであり、用紙カセット１２４または１２５より供給される用紙をこの転写ドラム１２３に巻き付け、感光ドラム１１７上に現像された像を用紙に転写する。
【００３８】
このようにして、Ｍ，Ｃ，Ｙ，Ｂｋの４色が順次転写された後に、用紙５０は定着ユニット１２６を通過して、トナーが用紙５０に定着された後、外部のトレイ６０に排紙される。
【００３９】
（スキャナ部）
図４は、スキャナ部１０１の構成を示す。
【００４０】
ラインセンサ１１０は、それぞれ、レッド（Ｒ），グリーン（Ｇ），ブルー（Ｂ）の分光感度特性をもつＣＣＤ（固体撮像素子）センサによって構成されている。
【００４１】
このラインセンサ１１０により読み取られたアナログの画像データは、Ａ／Ｄ変換部２０２に入力される。Ａ／Ｄ変換部２０２は、上記入力信号をそれぞれ８ビット出力０〜２５５のデジタル信号に変換し出力する。
【００４２】
Ａ／Ｄ変換部２０２から出力されたデジタル信号は、シェーディング補正部２０３に入力される。シェーディング補正部２０３では、図３に示すランプ１０５による原稿の照明ムラ、ＣＣＤの画素毎の感度ばらつき等による読み取りデータのばらつきを修正する。
【００４３】
シェーディング補正部２０３により補正されたデジタルデータは、ライン間補正部２０４において、ライン間データの補間処理が行なわれる。これは、ラインセンサ１１０には、ＲＧＢ画像データを読み取るために、３ラインのＣＣＤが所定の間隔をもって並んでいるため、Ｒ，Ｇ，Ｂの読み取りにずれが生じてしまうのを補正するためである。
【００４４】
ライン間補正部２０４から出力されたデジタル信号は、入力信号補正部２０５に入力され、所定のマスキング演算処理を実行する。これは、ラインセンサ１１０の読み取り画素毎の色分解フィルタの分光特性が理想的な特性ではなく、不要な透過特性を持っているのを補正するためである。
【００４５】
下地処理部２０６では、入力信号補正部２０５からのデジタル信号を原稿中の最も明るい色が白色となるように原稿の下地レベルを設定する。
【００４６】
下地処理部２０６から出力されたデジタル信号は、輝度濃度変換部２０７に入力され、Ｒ，Ｇ，Ｂの読み取り輝度信号を、マゼンタ（Ｍ），シアン（Ｃ），イエロー（Ｙ）の濃度信号へと対数変換により算出する。輝度濃度変換部２０７はルックアップテーブルにより変換され、ルックアップテーブルはＲＯＭまたはＲＡＭにより構成される。
【００４７】
輝度濃度変換部２０７から出力されたデジタル信号は、出力信号補正部２０８に入力され、ＣＭＹ信号からブラック（Ｂｋ）信号を算出し、原稿と、プリンタ部１０２によるコピー出力の色味を合わせるように、所定のマスキング演算を行い、出力のためのＭ，Ｃ，Ｙ，Ｂｋの各信号を各読み取り動作の度に、面順次に所定のビット長、たとえば８ビットで出力する。
【００４８】
出力信号補正部２０８から出力されたＣＭＹＫ信号は、空間フィルタ部２０９に入力され、空間周波数の補正を行う。原稿画像に適したエッジ強調、スムージング処理を画像データに実行する。
【００４９】
空間フィルタ部２０９により所定の処理を施された後、濃度変換部２１０により、図３のプリンタ部１０２のもつ濃度特性を補正する。濃度変換部２０９は、ルックアップテーブルＲＯＭまたはＲＡＭにより構成される。
【００５０】
一方、デバイスコントローラ４４０は、本装置の制御を司るマイクロコンピュータ（以下、ＣＰＵ）であり、２２０はＣＰＵバスである。
【００５１】
メモリ４５０は、ＲＯＭ２１２と、ＲＡＭ２１３とにより構成される。ＲＯＭ２１２は、ＣＰＵ２１１を動作させるプログラムを格納する。ＲＡＭ２１３は、各種プログラムを実行し、各処理部の係数を記憶するワークエリアとして用いられる。ＲＡＭ２１３のデータは、装置の電源を切ってしまうと失われる。
【００５２】
ハードディスク４６０（ＨＤ）は、本発明に係る制御用および実行用の各種プログラムや、各種の画像処理用のデータ、画像処理補正用のデータ等を格納する。２２１は、ＣＰＵバス２２０とハードディスク４６０とのインターフェース変換部である。
【００５３】
ＣＰＵ４４０が実行するプログラム等のデータは、ＲＯＭ２１２内では非圧縮で保存され、ハードディスク４６０内では圧縮して保存されている。よって、ハードディスク４６０に格納されているデータをＣＰＵ４４０が扱う際には、圧縮されているデータを解凍してからＲＡＭ２１３上に展開してから扱う必要がある。
【００５４】
データの圧縮方法やそのフォーマットはｚｉｐ等の汎用のものを用いても構わないし、装置特有のものでも構わない。
【００５５】
本例では、装置の電源を切ってもデータが保存されるデバイスとしてハードディスクを用いたが、代わりにＦｌａｓｈ−ＲＯＭや、電池付きＳＲＡＭでの構成も可能である。
【００５６】
入力画像圧縮部４７０は、原稿を読み取って得られる入力画像を圧縮するが、本例では、入力信号補正部２０５からのデジタル信号を圧縮している。これは、入力信号補正部２０５前のデジタル信号で圧縮してもかまわない。
【００５７】
この入力画像圧縮部４７０は、ＪＰＥＧなどの圧縮手法を用いて入力画像を圧縮する画像圧縮部と、画像圧縮に必要なワークエリア用メモリ、圧縮画像を記憶するためのメモリとから構成される。
【００５８】
（検索サーバ）
図５は、ネットワーク２００上の検索サーバ６００の構成例を示す。
【００５９】
７０１は、マルチファンクション装置４００から送付された圧縮画像を記憶するＲＡＭである。７０２は、カラー判定部であり、圧縮画像からマルチファンクション装置４００で読取った原稿がカラーなのかモノクロなのかを判断する。７０３は、ファイル検索部であり、カラー判定部７０２で判定された結果により、必要なプログラムファイル、パラメータファイル格納先を照会し、その結果をマルチファンクション装置４００へＬＡＮ２００を介して通知する。
【００６０】
＜システム動作＞
以下、本システムの動作について説明する。
【００６１】
（アプリケーションの登録）
図６は、マルチファンクション装置４００で動作可能なプログラムをネットワーク２００（ＬＡＮ）上に接続されたファイルサーバ５００に登録する場合におけるネットワーク構成例を示す。
【００６２】
ホストコンピュータ３００では、マルチファンクション装置４００上で動作可能なプログラムファイルを作成すると、ＬＡＮ２００を介して作成したプログラムフィルタをファイルサーバ５００へ転送する。ホストコンピュータ３００で作成されるプログラムファイルは、ＨＴＭＬ、Ｊａｖａ（登録商標）などのＩｎｔｅｒｎｅｔアプリケーション言語に従う。また、Ｉｎｔｅｒｎｅｔアプリケーション言語以外の言語でも構わない。
【００６３】
ファイルサーバ５００では、ホストコンピュータ３００より送信されたプログラムファイルを記憶デバイスに記憶される。さらに、ホストコンピュータ３００は、ファイルサーバ５００へ転送されたプログラムファイルの格納先情報を検索サーバ６００へ対して通知する。好ましくは、ＨＴＴＰプロトコルで用いられるＵＲＬの書式に従い、例えばファイルサーバ５００のアドレスが、www.pipit.canxx.co.jpファイルサーバ５００の記憶デバイス内部でのプログラムファイルの記憶位置を示すパスが、pmfp/japan/さらにプログラムファイル名が、index.htmlと検索サーバ６００に記憶される。
【００６４】
同時に記憶位置を示すパスは、プログラムファイルが動作可能なマルチファンクション装置の識別子を兼ねており、検索サーバ６００は、ホストコンピュータ３００より通知されるプログラムファイル格納先情報を効率的に記憶し、マルチファンクション装置４００などから要求されるプログラムファイル格納先の照会に応答すべく動作する。
【００６５】
（アプリケーションの格納先の検索）
図７は、本発明におけるマルチファンクション装置４００がネットワーク２００上に接続されたファイルサーバ５００の記憶デバイスに格納されたプログラムファイルを検索する場合におけるネットワーク構成の例を示す。
【００６６】
マルチファンクション装置４００がコピー動作時、マルチファンクション装置４００上で動作可能な、コピー動作時に必要な、そのコピーを行うために最適なプログラムファイル、パラメータファイルの格納先を得るために、ローカルエリアネットワーク（ＬＡＮ）２００上にプログラムファイルの格納先を問い合わせるためのパケットを送出する。このパケットは、送信元の装置識別子が含まれており、ブロードキャストないしマルチキャスト方式による宛先不特定として送出される。また、このパケットには、図４の入力画像圧縮部４７０で圧縮された入力画像の圧縮画像が添付されている。
【００６７】
マルチファンクション装置４００から送出されたパケットをネットワーク２００上に接続された検索サーバ６００が受信し、パケットに含まれている送信元の装置識別子と、図６で説明した検索サーバ６００に記憶されたプログラムファイル格納先情報に基づいて、マルチファンクション装置４００から送付された圧縮画像から、その画像をマルチファンクション装置４００でコピーする際に最適な、プログラムファイル、パラメータファイルの格納先を照会し、その結果をマルチファンクション装置４００へＬＡＮ２００を介して通知する。
【００６８】
図７の例では、マルチファンクション装置４００が装置識別子として、DeviceType:=pmfp, Country:=Japanを含んだパケットをＬＡＮ２００上に送信し、検索サーバ６００が装置識別子であるpmfp 、Japanに合致するプログラムファイルを検索し、合致するデータが存在した場合には、プログラムファイルの格納先を示すアドレス（ＵＲＬ）データをマルチファンクション装置４００に対して送信している。
【００６９】
（アプリケーションの取得および実行）
図８は、本発明におけるマルチファンクション装置４００上で動作可能なプログラムファイルをネットワーク２００上に接続されたファイルサーバ５００から取得し、実行する場合におけるネットワーク構成の例を示す。
【００７０】
ファイルサーバ５００の記憶デバイスにマルチファンクション装置４００上で動作可能なプログラムファイルが格納されており、先の図７で説明した手順あるいは予めマルチファンクション装置４００上に接続された操作部４１０の操作パネル（図４参照）等からの操作によりプログラムファイル格納先の情報を取得し、そのプログラムファイル格納先情報に基づいてファイルサーバ５００に対し、プログラムファイルの取得要求を行なうパケットを送出する。
【００７１】
本例では、要求パケット内に、http://www.pipit.canxx.co.jp/pmfp/japan/index.htmlを記述することによってファイルサーバ５００のアドレスおよび記憶デバイス内のプログラムファイルの格納先を指示している。
【００７２】
ファイルサーバ５００では、マルチファンクション装置４００から受信した取得要求パケットの内容に応じて、記憶デバイスからプログラムファイル（例ではindex.html）を送信する。ファイルサーバ５００より転送されたプログラムファイルはｚｉｐフォーマットで圧縮されているので、ＲＯＭ２１２等に格納された解凍プログラムによってＣＰＵ２１１が解凍してから実行される。
【００７３】
図９および図１０は、ファイルサーバ５００より取得したプログラムファイルの解凍後のデータが、ＨＴＭＬ書式に従って記述された例を示す。
【００７４】
図９の例において、取得したプログラムファイル（Index.html）５１０は、図９（ａ）に示すように、操作部４１０の表示されるメニューを制御するプログラムである。マルチファンクション装置４００の操作部４１０には、図９（ｂ）に示すように、“Account ”，“Job Control ”，“Service Maintenance ”が表示される。
【００７５】
また、このプログラムファイル５１０は、他のプログラムファイルを関連付け（リンク）することが可能である。例えば、サブプログラムの格納先情報をプログラムファイル５１０に記述しておくことで、サブプログラムが必要になった時点で格納先情報に応じてプログラムを取得するといった制御を実現する。
【００７６】
例えば、図９（ｂ）に示すように、Job Control ５２０を操作部４１０に表示させた場合、それを実行させるための実行プログラムをサブプログラムとして用意しておき、Job Control ５２０が実行される際には、格納先情報５３０に応じてJob Control ５２０のプログラムを取得するといった制御を実現することができる。
【００７７】
［プログラムの保存場所］
ファイルサーバ５００より転送されたプログラムファイルなどのデータのマルチファンクション装置４００での格納保存場所は、図４のハードディスク４６０である。保存する際には、ＣＰＵ４４０が非圧縮データを圧縮してから保存するか、もしくはファイルサーバ５００より取得した時に圧縮されていた場合はそのまま保存すればよい。
【００７８】
再びそのデータを用いる際には、ＣＰＵ４４０がデータを解凍してＲＡＭ２１３上に展開して用いる。
【００７９】
（検索サーバのアプリケーションの検索動作フロー）
ここで、検索サーバ６００が、マルチファンクション装置４００から送付された圧縮画像から、その画像をマルチファンクション装置４００でコピーする際に最適な、プログラムファイル、パラメータファイルの格納先を照会するための一連の動作を、図１１に基づいて説明する。
【００８０】
前述した図５の検索サーバ６００において、圧縮画像から原稿がカラーなのかモノクロなのかを判断し、その結果に応じて、マルチファンクション装置４００でコピーする際に最適な、プログラムファイル、パラメータファイルの格納先を照会する場合を説明しているが、カラー判定部７０２は、文字／自然画像判定部として、マルチファンクション装置４００でコピーする原稿画像が、文字なのか、自然画像なのかを判定し、それに最適なプログラムファイル、パラメータファイル格納先を照会する構成としてもよい。
【００８１】
図１１は、カラー判定部７０２での判定方法を示す。
【００８２】
カラー判定部７０２では、圧縮画像の各画素のＲＧＢ信号値から原稿画像がカラー画像なのか、モノクロ画像なのかを判定する。ＲＧＢ信号を均等色空間（Ｌａｂ色空間など）に変換し、各画素のＬａｂ値により、所定の閾値７１１内に入った画素数で決定する。
【００８３】
例えば、閾値７１１内に全画素が入った場合はモノクロ原稿と判断し、閾値７１１外に全画素の１０％以上の画素がある場合にはカラー原稿と判断する。言うまでもなく、上記閾値、判定のパーセンテージは可変可能である。
【００８４】
また、カラーかモノクロかだけの判定だけではなく、例えば、肌色が多い画像なのか、赤色が多いのか、青色が多いのかといった判定結果を付加することも可能である。
【００８５】
図１１において、例えば、肌色が多い画像なのか判定するには、所定の閾値７１２内に入った画素数で判定する。同様に赤色の場合には、所定の閾値７１３内に入った画素数で判定する。赤色の場合には、閾値７１３内に全画素の４０％以上の画素がある場合には赤色の多い原稿と判断する。言うまでもなく、上記閾値、判定のパーセンテージは可変可能である。
【００８６】
カラー判定部７０２の判定の結果、カラー画像の場合には、図２のイメージリーダ部１０１の各処理部に対して、カラー原稿をコピーするのに最適なパラメータファイルを送付するようパラメータファイルの格納先をファイル検索部７０３で照会する。
【００８７】
また、肌色の多い画像であると判定されれば、特に肌色周辺色のカラーマッチングにウエイトをおいたパラメータファイルを送付するようパラメータファイルの格納先をファイル検索部７０３で照会する。モノクロ画像の場合には、モノクロ画像をコピーするのに最適なプログラムファイルを送付するようプログラムファイルの格納先をファイル検索部７０３で照会する。
【００８８】
（アプリケーションの取得動作フロー）
図１２および図１３は、画像処理装置であるマルチファンクション装置４００がネットワーク２００を介してファイルサーバ５００から画像処理パラメータファイルを取得する動作について説明するフローチャートである。
【００８９】
図１２は、ホストコンピュータ３００における処理を示す。
【００９０】
ステップＳ７０１では、予めマルチファンクション装置４００上で動作可能なプログラムファイル、ここでは、フルカラー原稿コピー時のスキャナ部１０１の各画像処理部用の画像処理パラメータファイル、モノクロ原稿コピー時のスキャナ部１０１の各画像処理部用の画像処理パラメータファイルおよびプログラムファイルを作成する。
【００９１】
ステップＳ７０２では、その作成したパラメータファイル、プログラムファイルは、ＬＡＮ２００を介して、ファイルサーバ５００へ転送され、ライブラリとして、ファイルサーバ５００の記憶デバイスに記憶される。
【００９２】
ステップＳ７０３では、ホストコンピュータ３００は、ファイルサーバ５００へ転送したパラメータファイル、プログラムファイルの格納先情報を、検索サーバ６００に対して通知する。
【００９３】
この場合、検索サーバ６００は、例えば、下記の情報を記憶する。
【００９４】
ファイルサーバ５００のアドレスは、www.pipit.canxx.co.jpと記憶される。
【００９５】
ファイルサーバ５００の記憶デバイス内部でのパラメータファイル、プログラムファイルの記憶位置を示すパスは、pmfp/japan/と記憶される。
【００９６】
さらに、ここでは、例えば、フルカラー原稿コピー用画像処理パラメータファイル名は、keisuu.htmlと記憶される。
【００９７】
また、これと同時に、記憶位置を示すパスは、フルカラー原稿コピー用の画像処理パラメータファイルが動作可能なマルチファンクション装置４００の識別子を兼ねており、検索サーバ６００は、ホストコンピュータ３００より通知されるフルカラー原稿コピー用画像処理パラメータファイルの格納先情報を効率的に記憶し、マルチファンクション装置４００などから要求されるフルカラー原稿コピー用の画像処理パラメータファイルの格納先の照会に応答すべく動作するようになっている。
【００９８】
図１３は、マルチファンクション装置４００、ファイルサーバ５００、検索サーバ６００の各部におけるフルカラー原稿コピー用の画像処理パラメータファイルの取得処理の例を示す。
【００９９】
マルチファンクション装置４００において、原稿をコピーする場合（ステップＳ８０１）、マルチファンクション装置４００上では、図４の入力画像圧縮部４７０において、原稿を読取り読取った入力画像が圧縮される（ステップＳ８０２）。
【０１００】
そして、マルチファンクション装置４００上で動作可能な読取り原稿をコピーするのに最適な、プログラムファイル、パラメータファイルの格納先を求めるために、ローカルエリアネットワーク（ＬＡＮ）２００上にプログラムファイル、パラメータファイルの格納先を問い合わせるパケットおよび圧縮画像を送出する（ステップＳ８０３）。
【０１０１】
検索サーバ６００は、マルチファンクション装置４００から送出されたパケットをネットワーク２００を介して受信し、パケットに含まれている送信元の装置識別子と、図６で説明した検索サーバ６００に記憶されたプログラムファイル格納先情報とに基づいて、マルチファンクション装置４００から送付された圧縮画像を先に説明した手順に従って判定を行う（ステップＳ８０４）。
【０１０２】
ここでは、例えば、この原稿がカラー原稿であり、かつ赤色が多い画像であると判定した場合、それに対応するカラー画像をマルチファンクション装置４００でコピーする際に最適な、プログラムファイル、および、パラメータファイルの格納先を示す格納先情報を照会する（ステップＳ８０５）。
【０１０３】
そして、その照会結果を、ネットワーク２００を介してマルチファンクション装置４００へ通知する（ステップＳ８０６）。
【０１０４】
次に、マルチファンクション装置４００は、装置識別子として、DeviceType:=pmfp, Country:=Japanを含んだパケットを、ネットワーク２００を介して検索サーバ６００に送信する。検索サーバ６００は、装置識別子であるpmfp 、Japanに合致するプログラムファイルをファイルサーバ５００において検索し、合致するデータが存在した場合には、出力信号補正部２０８用の画像処理パラメータファイルの格納先を示すアドレス（ＵＲＬ）データを、マルチファンクション装置４００に対して送信する。
【０１０５】
ファイルサーバ５００の記憶デバイスには、マルチファンクション装置４００上で動作可能なフルカラー原稿コピー用の画像処理パラメータファイルが格納されている。
【０１０６】
マルチファンクション装置４００は、操作部４１０の操作パネル（図４参照）等からの操作によって、フルカラー原稿コピー用の画像処理パラメータファイル、特に、赤色周辺色のカラーマッチングにウェイトをおいたパラメータファイルの格納先情報を取得する（ステップＳ８０７）。
【０１０７】
そして、マルチファンクション装置４００は、その取得したフルカラー原稿コピー用の赤色周辺色の画像処理パラメータファイルの格納先情報に基づいて、ファイルサーバ５００に対してパラメータファイルの取得要求を行うパケットを送出する（ステップＳ８０８）。
【０１０８】
その取得要求を行うパケット内に、http://www.pipit.canxx.co.jp/pmfp/japan/keisuu.htmlを記述することによって、ファイルサーバ５００のアドレスおよび記憶デバイス内のフルカラー原稿コピー用の赤色周辺色の画像処理パラメータファイルの格納先を指示する。
【０１０９】
ファイルサーバ５００では、マルチファンクション装置４００から受信した取得要求を行うパケットの内容に応じて、記憶デバイスからフルカラー原稿コピー用の赤色周辺色の画像処理パラメータファイル（この例では、keisuu.html ）を取得し、その取得したデータをマルチファンクション装置４００へ送信する（ステップＳ８０９）。
【０１１０】
マルチファンクション装置４００は、ファイルサーバ５００からフルカラー原稿コピー用の赤色周辺色画像処理パラメータファイルが転送され、パラメータファイルの処理を実行する（ステップＳ８１０）。
【０１１１】
すなわち、この転送されたフルカラー原稿コピー用の赤色周辺色の画像処理パラメータファイルは、圧縮されたデータである。従って、マルチファンクション装置４００のＣＰＵ４４０は、まず、その圧縮されたデータを解凍する。次に、解凍後のデータを用いて、画像処理ハードウエアにＣＰＵ４４０がパラメータの設定を行ってファイルの処理を実行する。
【０１１２】
（パラメータファイルの保存場所）
取得したパラメータファイル（keisuu.html ）のマルチファンクション装置４００での格納保存場所は、図４のハードディスク４６０である。保存する際には、ＣＰＵ４４０が非圧縮のデータを圧縮してから保存するか、あるいはファイルサーバ５００より転送された圧縮データをそのまま保存する。
【０１１３】
再びそのデータを用いる際には、ＣＰＵ４４０がデータを解凍してＲＡＭ２１３上に展開して用いる。
【０１１４】
（アプリケーションの実行動作フロー）
本発明に係る画像処理装置におけるフルカラー原稿コピー用の赤色周辺色の画像処理パラメータファイルの処理（前述した図１３のステップＳ８１０）について、フルカラー原稿コピーの実行動作の具体例を以下に説明する。
【０１１５】
図１３で説明したフルカラー原稿コピー用の赤色周辺色の画像処理パラメータファイルにより供給される画像処理パラメータは、マルチファンクション装置４００内部のスキャナ部１０１のＣＰＵ４４０およびＲＯＭ２１２等に格納されたプログラムにより実行されると同時に、ＲＡＭ２１３に記憶される。
【０１１６】
カラー原稿画像と、プリンタ部１０２から出力されるコピー出力の色味、特に赤色周辺色のカラーマッチングの精度を向上させるため、スキャナ部１０１の各画像処理部の画像処理係数が書き換えられる。例えば、スキャナ部１０１のうち、下地処理部２０６、輝度濃度変換部２０７、出力信号補正部２０８、空間フィルタ部２０９の各パラメータが赤色再現性を向上させるために書き換えられる。これにより、予め用意されている画像処理係数ではなく、読取り原稿に合った、ここでは赤色周辺色をコピー出力するのに最適なパラメータで、コピー出力を行うことができる。
【０１１７】
上述したように、ネットワーク２００上のファイルサーバ５００からデータを取り込んだ場合においても、データを圧縮して保存しておき、使用する際には解凍することによって、保存先のメモリデバイスの容量を有効に利用することができる。
【０１１８】
［第２の例］
本発明の第２の実施の形態を、図１４に基づいて説明する。なお、前述した第１の例と同一部分についてはその説明を省略し、同一符号を付す。
【０１１９】
本例では、前述した図１のシステムにおいて、マルチファンクション装置４００が、ファイルサーバ５００から画像処理用の補正データ（例えば、前述したフルカラー原稿コピー用の赤色周辺色の画像処理パラメータファイルにより供給される画像処理パラメータ等のデータ）を取得してメモリ４５０に記憶する際に、該補正データを圧縮するか否かを選択する機能を備えた場合の例である。
【０１２０】
図１４は、ファイルサーバ５００より転送されたデータを保存する際に、圧縮して保存するか、非圧縮で保存するか選択するための操作部４１０の画面を示す。
【０１２１】
ソフトキーとしての圧縮キー１００１を押し、さらに、閉じキー１００３を押せば、転送されたデータを圧縮して保存することになる。また、非圧縮キー１００２を押して、閉じキー１００３を押せば、転送されたデータを非圧縮で保存することになる。
【０１２２】
また、前述した第１の例と同様のシステム構成において、データを圧縮して保存するか、非圧縮で保存するかを図４の操作部４１０から選択することも可能である。
【０１２３】
データを常に解凍してから用いるようにすると、実行時に解凍する時間が余分に必要になる。よって、メモリデバイスの容量に余裕がある場合や、使用頻度の高いものは、非圧縮で保存することも有効である。
【０１２４】
［第３の例］
本発明の第３の実施の形態を、図１５および図１６に基づいて説明する。なお、前述した各例と同一部分についてはその説明を省略し、同一符号を付す。
【０１２５】
本例では、前述した図１のシステムにおいて、マルチファンクション装置４００が、メモリ４５０の空き容量が所定の値よりも少なくなった場合に警告する内容を表示する機能、および、取得した補正データのうち圧縮又は削除候補のデータを、使用頻度、容量、その両方から判断して表示し、圧縮又は削除するデータを選択する機能を有する場合の例である。
【０１２６】
図１５は、データの保存形式を圧縮にするか、非圧縮にするかを選択するための操作部４１０の操作画面である。ハードディスク４６０の全容量は２ＧＢｙｔｅであり、残りの空き容量が２００ＭＢｙｔｅになり全容量の１％以下になった時、警告として図１５の画面が表示される。もちろん、表示中の１％という設定は、１０％などに変更可能である。
【０１２７】
また、このようなシステム構成において、データを圧縮して保存するか、非圧縮で保存するかを、メモリデバイスの容量が少なくなった場合に操作部４１０から選択することも可能である。
【０１２８】
図１５の例では、使用頻度の低い順に４つのファイルが圧縮候補として表示されている。ソフトキーである圧縮キー１１０１を押せば、候補の４つも含めた全てのファイルが圧縮の設定になり、その後、圧縮実行キー１１０３を押せば、全てのファイルの圧縮が実行される。
【０１２９】
また、図１５の例では、３つのファイルが圧縮の設定（反転文字）になっていることを表わしている。
【０１３０】
もし、圧縮実行キー１１０３を押さずに、閉じキー１１０２を押して画面を閉じた場合は、ファイルは全く圧縮されない。
【０１３１】
また、図１６の例では、「圧縮する」、「削除する」、「変更なし」から選択することも可能である。この場合も、実行キー１１０３を押さずに、閉じキー１３０１を押して画面を閉じた場合は、ファイルは全く圧縮されないし、削除もされない。
【０１３２】
［第４の例］
本発明の第４の実施の形態について説明する。なお、前述した各例と同一部分についてはその説明を省略し、同一符号を付す。
【０１３３】
本例は、前述した第３の例の変形例を示す。前述した図１のシステムにおいて、メモリ４５０の空き容量が、所定の値よりも少なくなった場合、使用頻度、容量、又はその両方から、圧縮若しくは削除するデータを判断し、自動的にデータの圧縮若しくは削除を行う機能を有する場合の例である。
【０１３４】
前述した第３の例では、圧縮するか否かを操作画面でユーザーが選択する方法を用いたが、ユーザーの選択は無しに、不足が生じたり空き容量が少なくなったら、使用頻度の低いファイルから４つを自動的に圧縮する方法を取ることも可能である。
【０１３５】
また、上位４つという個数には関係なく、残りの空き容量が５％になるまで使用頻度の低い順に圧縮してしまうことも可能である。
【０１３６】
もちろん、この上位４つ、５％という値は任意に設定可能であり、この値に特定されるものではない。
【０１３７】
［第５の例］
本発明の第５の実施の形態を、図１７および図１８に基づいて説明する。なお、前述した各例と同一部分についてはその説明を省略し、同一符号を付す。
【０１３８】
本例は、前述した第３の例の変形例を示す。
【０１３９】
前述した第１の例と同様なシステム構成において、ファイルサーバ５００から転送されたデータをハードディスク４６０に保存する際に、実際に容量の不足が発生した場合にはじめてデータを圧縮して保存するか、非圧縮で保存するかを操作部４１０の操作画面から選択する方法をとることも可能である。
【０１４０】
図１７の例では、前述した図１５の例と同様に、使用頻度の低い順に４つのファイルが圧縮候補として表示されている。圧縮キー１１０１を押せば、候補の４つも含めた全てのファイルが圧縮の設定になり、その後、圧縮実行キー１１０３を押せば、全てのファイルの圧縮が実行される。
【０１４１】
この図１７の例では、３つのファイルが圧縮の設定（反転文字）になっていることを表している。画面には不足容量も表示されており、３つのファイルがそれぞれ１／４の容量に圧縮されるとすると、合計で８３２．５ＫＢｙｔｅ（＝１１１０×（３／４）ＫＢｙｔｅ）の容量が減ることになり、不足分は無くなるので、不足容量の表示は０ＫＢｙｔｅとなっている。
【０１４２】
もし、圧縮実行キー１１０３を押さずに、キャンセルキー１２０１を押して画面を閉じた場合は、ファイルは全く圧縮されず、新たにファイルを保存する容量が無いのでファイルは保存されない。
【０１４３】
具体例として、保存したいファイルのサイズが２４００ＫＢｙｔｅにあるとする。これを圧縮すると１／４の容量の６００ＫＢｙｔｅになるとする。しかし、現在ハードディスク４６０の空き容量は１００ＫＢｙｔｅしかないとすると、５００ＫＢｙｔｅの不足が生じてしまう。
【０１４４】
このような場合、図１７の操作画面では、５００ＫＢｙｔｅの不足が生じていることをユーザーに警告するとともに、既にハードディスク４６０にあるファイルのどれを圧縮するかを選択する。
【０１４５】
また、他の例として、図１８に示すように、「圧縮する」、「削除する」、「変更なし」から選択することも可能である。この場合も実行キー１１０３を押さず、キャンセルキー１４０１を押して画面を閉じた場合は、ファイルは全く圧縮されず、削除もされない。
【０１４６】
［第６の例］
本発明の第６の実施の形態を、図１９に基づいて説明する。なお、前述した各例と同一部分についてはその説明を省略し、同一符号を付す。
【０１４７】
本例は、補正データのメモリ４５０への保存を圧縮して行うか否かを、画像処理の前に予め設定する機能を有する場合の例である。
【０１４８】
図１９は、サービスマンのみがアクセスでき、ユーザーのアクセスできないサービスマンモードでの操作部４１０の設定画面を示す。
【０１４９】
この設定画面において、設定キー１５０１を押し、さらに閉じキー１５０３を押して、この操作画面を閉じると、ハードディスク４６０にはデータを圧縮して保存する設定となる。また、設定解除キー１５０２を押し、さらに閉じキー１５０３を押して、この操作画面を閉じると、ハードディスク４６０にはデータを非圧縮で保存する設定となる。
【０１５０】
例えば、ハードディスク容量の大きい装置の場合には非圧縮で扱う設定にし、容量の小さい場合には圧縮の設定にするなど、ユーザーの装置構成毎に最適にすることができる。
【０１５１】
上述したように、保存するデータとして、圧縮データを扱うか否かをサービスマンモードにおける設定によって変えることも可能である。
【０１５２】
なお、上記各例では、本発明の適用例として、複写機の例を示したが、これに限るものではなく、他の種々の装置に適用できるものである。
【０１５３】
また、本発明は、複数の機器（例えば、ホストコンピュータ、インターフェース機器、リーダ、プリンタなど）から構成されるシステムに適用しても、１つの機器（例えば、ＰＤＡ（個人情報管理）機器のような小型の画像処理機器、複写機、ファクシミリ装置）からなる装置に適用してもよい。
【０１５４】
また、本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０１５５】
この場合、記憶媒体から読出されたプログラムコード自体が前述した実施形態の機能を実現することになり、そのプログラムコードを記憶した記憶媒体は本発明を構成することになる。
【０１５６】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭ（マスクＲＯＭ、フラッシュＥＥＰＲＯＭなど）などを用いることができる。
【０１５７】
また、コンピュータが読出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【０１５８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１５９】
以上説明したように、本発明によれば、検索サーバにおいて、画像処理装置から転送された画像データを解析し、解析した画像データに基づいて画像処理の補正に必要な補正データの登録場所をファイルサーバ装置の中から検索し、検索した補正データの登録場所を画像処理装置に通知し、画像処理装置において、検索サーバから通知された補正データの登録場所に基づいてファイルサーバから所望の補正データを取得し、取得した補正データを用いて画像処理を行なわせ、画像処理させた画像データを出力させたので、画像処理装置としてマルチファンクションデジタル複写機を構成し、該複写機の動作可能な制御プログラム、実行プログラム、および各種画像処理パラメータをネットワーク上のファイルサーバ装置から該複写機にダウンロードする場合、そのダウンロードするデータの保存先のメモリデバイスの容量を最適に利用することができる。
【図１】
2010136392.tif 000003
【図２】
2010136392.tif 000004
【図３】
2010136392.tif 000005
【図４】
2010136392.tif 000006
【図５】
2010136392.tif 000007
【図６】
2010136392.tif 000008
【図７】
2010136392.tif 000009
【図８】
2010136392.tif 000010
【図９】
2010136392.tif 000011
【図１０】
2010136392.tif 000012
【図１１】
2010136392.tif 000013
【図１２】
2010136392.tif 000014
【図１３】
2010136392.tif 000015
【図１４】
2010136392.tif 000016
【図１５】
2010136392.tif 000017
【図１６】
2010136392.tif 000018
【図１７】
2010136392.tif 000019
【図１８】
2010136392.tif 000020
【図１９】
2010136392.tif 000021